(57)【要約】【課題】一のＬＥＤユニットのみで様々な用途に対応でき、製造に係るコストを削減することができるＬＥＤユニットを提供する。【解決手段】ＬＥＤユニット２は、照射光を発するＬＥＤ９を備える機能部５と、機能部５を収容するとともに照射光を通過させる開口筒部１５を形成したハウジング６とを備える。開口筒部１５には、レンズ２５が挿入される挿入孔２１と、開口筒部１５の内側にて挿入孔２１の両端に連通して形成されレンズ２５を往復動自在に案内し開口筒部１５の軸に交差して配置させる環状ガイド溝２２とを設ける係止構造を備える。係止構造には、一端１９側から内側にかけて開口筒部１５の軸に沿って伸び環状ガイド溝２２に連通する挿通溝２４を更に設け、挿通溝２４は、導光体２９の一端に設けられる係合部３１が挿通可能な大きさに形成され、環状ガイド溝２２は、係合部３１を挿通溝２４に挿通させると係合部３１が回転できる。【選択図】図２
2013180715.tif 000002
【特許請求の範囲】
【請求項１】
照射光を発するＬＥＤと、該ＬＥＤを備える機能部と、該機能部を収容するとともに前記照射光を通過させる開口筒部を形成したハウジングとを備え、
前記開口筒部には、該開口筒部の側面に形成されレンズが挿入される挿入孔と、前記開口筒部の内側にて前記挿入孔の両端に連通して形成され前記レンズを往復動自在に案内し前記開口筒部の軸に交差して配置させる環状ガイド溝とを設ける係止構造を備えるＬＥＤユニットにおいて、
前記係止構造には、前記開口筒部の一端側から前記開口筒部の前記内側にかけて前記開口筒部の軸に沿って伸び前記環状ガイド溝に連通する挿通溝を更に設け、
前記挿通溝は、前記照射光を導光させる導光体の一端に設けられる係合部が挿通可能な大きさに形成され、
前記環状ガイド溝は、前記係合部を前記挿通溝に挿通させると前記係合部が回転可能である
ことを特徴とするＬＥＤユニット。
【請求項２】
請求項１に記載のＬＥＤユニットにおいて、
前記照射光の色彩を調整するキャップを前記導光体の先端に装着する
ことを特徴とするＬＥＤユニット。
【発明の詳細な説明】
【技術分野】
【０００１】
本発明は、一の係止構造によって各種の光学部品を装着することが可能なＬＥＤユニットに関する。
【背景技術】
【０００２】
近年、車両等において小型化、省エネルギー化等を図るため、ＬＥＤ（発光ダイオード）を光源とする室内照明装置が用いられるようになってきた。このＬＥＤを光源として適用したＬＥＤユニットに関しては、例えば、下記特許文献１に開示されている。
【０００３】
下記特許文献１に開示されたＬＥＤユニットは、車両室内照明灯として用いられるものであり、少なくとも照射光を発するＬＥＤを収容するとともに、照射光を通過させる開口筒部を形成したハウジングを有する機能部を備えている。
【０００４】
開口筒部の側面には、レンズを挿入するための挿入孔が形成されるとともに、この挿入孔の両端に連通する環状ガイド溝が開口筒部の軸方向に交差して形成されている。また、開口筒部の内側においてレンズを係止するための係止部が形成されている。
すなわち、開口筒部において、上記挿入孔、環状ガイド溝及び係止部によってレンズの係止構造が構成されている。
【０００５】
上記挿入孔からレンズを差し込んでそのまま押し込むと、レンズは、ガイド溝に案内されて開口筒部の内側に挿入されるとともに係止部に係止される。そうすると、レンズは、開口筒部の軸方向に対して交差して配置されることになる。
係る状態で照射光がレンズを通過すると、レンズ表面に例えば微細な凹凸等を表面加工したものであれば照射光がぼかされる。また、レンズ材料に色素や蛍光体を添加したものであれば、元の照射光とは異なった色彩に変換することができる。
【０００６】
上記構成及び構造において、上記開口筒部におけるレンズの係止構造が簡単であるため、レンズを交換することにより照射光の散乱や色彩の変換を容易に行うことができる。
【先行技術文献】
【特許文献】
【０００７】
【特許文献１】特開２０１０−１７７０４０号公報
【発明の概要】
【発明が解決しようとする課題】
【０００８】
ところで、上記従来技術にあっては、上記開口筒部におけるレンズの係止構造を用いてレンズを交換することにより照射光の散乱や色相の変換を行っているが、レンズ以外の他の光学部品を採用したい場合であってもこれに対応する係止構造を有しないため、係る他の光学部品を装着することができない。
そのため、各種光学部品に対応した係止構造を備える専用のＬＥＤユニットを製造しなければならず、製造コストが高くなるという問題点を有する。
【０００９】
本発明は、上記した事情に鑑みてなされたもので、各種光学部品の装着を一の係止構造のみを用いて行うことにより、一のＬＥＤユニットのみで様々な用途に対応することができ、ＬＥＤユニットの製造に係るコストを削減することができるＬＥＤユニットを提供することを課題とする。
【課題を解決するための手段】
【００１０】
上記課題を解決するためになされた請求項１記載の本発明の照射光変換装置は、照射光を発するＬＥＤと、該ＬＥＤを備える機能部と、該機能部を収容するとともに前記照射光を通過させる開口筒部を形成したハウジングとを備え、
前記開口筒部には、該開口筒部の側面に形成されレンズが挿入される挿入孔と、前記開口筒部の内側にて前記挿入孔の両端に連通して形成され前記レンズを往復動自在に案内し前記開口筒部の軸に交差して配置させる環状ガイド溝とを設ける係止構造を備えるＬＥＤユニットにおいて、
前記係止構造には、前記開口筒部の一端側から前記開口筒部の前記内側にかけて前記開口筒部の軸に沿って伸び前記環状ガイド溝に連通する挿通溝を更に設け、
前記挿通溝は、前記照射光を導光させる導光体の一端に設けられる係合部が挿通可能な大きさに形成され、
前記環状ガイド溝は、前記係合部を前記挿通溝に挿通させると前記係合部が回転可能であることを特徴とする。
【００１１】
このような特徴を有する本発明によれば、開口筒部には、レンズが挿入される挿入孔と、開口筒部の内側にて挿入孔の両端に連通して形成されレンズを往復動自在に案内し開口筒部の軸に交差して配置させる環状ガイド溝とを設ける係止構造を備えている。この係止構造は、更に開口筒部の一端側から開口筒部の内側にかけて開口筒部の軸に沿って伸び環状ガイド溝に連通する挿通溝を設けている。また、挿通溝は、導光体の一端に設けられる係合部が挿通可能な大きさに形成されている。さらに、環状ガイド溝は、係合部を挿通溝に挿通させると係合部を開口筒部の軸に水平に回転することができる。
これにより、レンズは、挿入孔から挿入されると環状ガイド溝によって所定位置まで案内されて開口筒部の軸に交差して配置される。また、開口筒部の一端側から開口筒部の内側にかけて開口筒部の軸に沿って伸び環状ガイド溝に連通する挿通溝を設けており、この挿通溝は、導光体の一端に設けられる係合部が挿通可能な大きさに形成されている。そして、係合部を挿通溝に挿通させると、この係合部は環状ガイド溝にて開口筒部の軸に水平に回転することができ、所定範囲に回転することで係合部は環状ガイド溝に係合される。
【００１２】
請求項２記載の本発明のＬＥＤユニットは、請求項１に記載の照射光変換装置において、前記照射光の色彩を調整するキャップを前記導光体の先端に装着することを特徴とする。
【００１３】
このような特徴を有する本発明によれば、照射光を調整するキャップを導光体の先端に装着することにより照射光を任意の色彩を帯びた光に調整できる。
また、先端が複数に分岐して形成される導光体を用いる場合、各先端にそれぞれ異なる種類のキャップを装着することにより各先端が別々の照射光を照射することができる。
【発明の効果】
【００１４】
請求項１に記載された本発明によれば、レンズは、環状ガイド溝によって所定位置まで案内されて開口筒部の軸に交差して配置される。また、導光体は、係合部を挿通溝に挿通させると、この係合部は環状ガイド溝にて開口筒部の軸に水平に回転することができ、所定範囲に回転することで係合部は環状ガイド溝に係合される。これにより、レンズ及び導光体は、一の係止構造にて何れか一方のみを装着することができる、また、レンズ及び導光体の両方を装着することもできる。そうすると、レンズを装着するためのＬＥＤユニットや導光体を装着するためのＬＥＤユニットをそれぞれ用途に合わせて製造する必要がなくなる。
従って、各種光学部品の装着を一の係止構造のみを用いて行うことにより、一のＬＥＤユニットのみで様々な用途に対応することができ、ＬＥＤユニットの製造に係るコストを削減することができるという効果を奏する。
【００１５】
請求項２に記載された本発明によれば、請求項１に記載された発明による効果の他、下記の効果も奏する。すなわち、照射光を調整するキャップを導光体の先端に装着することにより照射光を任意の色彩を帯びた光に調整でき、また、先端が複数に分岐して形成される導光体を用いる場合、各先端にそれぞれ異なる種類のキャップを装着することにより各先端が別々の照射光を照射することができる。
従って、一の係止構造のみを用いることにより照射光の色彩にバリエーションをもたせることができるという効果を奏する。
【図面の簡単な説明】
【００１６】
【図１】車両室内の概略図である。
【図２】本発明に係るＬＥＤユニットの分解斜視図である。
【図３】ハウジングの斜視図である。
【図４】レンズの斜視図である。
【図５】導光体の斜視図である。
【図６】レンズを開口筒部に装着する方法を示す説明図である。
【図７】レンズを開口筒部に装着した状態のハウジングの斜視図及び断面図である。
【図８】導光体を開口筒部に装着する方法を示す説明図である。
【図９】導光体を開口筒部に装着した状態を示す図である。
【図１０】ＬＥＤユニットの組み立て方法を示す説明図である。
【図１１】ＬＥＤユニットの使用方法を示す説明図である。
【図１２】ＬＥＤユニットの他の使用方法を示す説明図である。
【図１３】本発明に係る変形例を示すＬＥＤユニットの斜視図である。
【発明を実施するための形態】
【００１７】
以下、図面を参照しながら第１の実施例を説明する。図１は本発明のＬＥＤユニットが使用される車両室内の概略図、図２はＬＥＤユニットの分解斜視図、図３はハウジングの斜視図、図４はレンズの斜視図であり（ａ）は集光レンズの斜視図、（ｂ）は拡散レンズの斜視図、図５は導光体の斜視図、図６はレンズを開口筒部に装着する方法を示す説明図、図７はレンズを開口筒部に装着した状態のハウジングの斜視図及び断面図、図８は導光体を開口筒部に装着する方法を示す説明図、図９は導光体を開口筒部に装着した状態を示す図であり、（ａ）は導光体を開口筒部に装着した状態のハウジングの斜視図、（ｂ）は（ａ）に示すハウジングを用いたＬＥＤユニットの断面図、図１０はＬＥＤユニットの組み立て方法を示す説明図、図１１はＬＥＤユニットの使用方法を示す説明図であり（ａ）はＬＥＤユニットが用いられる車両室内照明灯の分解斜視図、（ｂ）は車両室内照明灯の断面図、図１２はＬＥＤユニットの他の使用方法を示す説明図であり、（ａ）はＬＥＤユニットが用いられるスイッチ表示部の裏面を示す図、（ｂ）は（ａ）の表面を示す図である。
【００１８】
図１において、引用符号１は、自動車等のフロント側の車両室内を示している。本実施例に係るＬＥＤユニット２は、特に限定するものではないが、例えば、車両室内１において運転席の足下を照明するための車両室内照明灯３に用いられるものである（一例であるものとする）。その他、例えば、天井に取り付けられる車両室内照明灯４に用いられてもよいものとする（一例であるものとする）。
【００１９】
本実施例に係るＬＥＤユニット２は、図２に示す如く、少なくとも、機能部５と、機能部５を収容するハウジング６と、電線ホルダ７にて固定され機能部５に接続される電線８とを備えて構成されている。機能部５は、照射光を発するＬＥＤ９と、ＬＥＤ９が接続されるとともに電線８からＬＥＤ９に給電するバスバー１０と、バスバー１０に接続されるツェナーダイオード１１及び抵抗１２と、上記バスバー１０が収容されるケース１１とを含んで構成されている。また、ハウジング６には、ＬＥＤ９から照射される照射光が通過する開口筒部１５が設けられている。尚、この開口筒部１５は、後述するレンズ２５及び導光体２９が装着される部分としても設けられている。また、上記電線ホルダ７は、機能部５に給電する電線８を固定するためのものであり、両側面には、後述する電線ホルダ係止部１８と係合させるための電線ホルダ係合部７ａが設けられている。
【００２０】
以下、先ず、機能部５の各構成部材について説明する。
ＬＥＤ９は、いわゆる発光ダイオードであり、電力の供給によって照射光を照射する部品である。本実施例においては、チップ型のＬＥＤが用いられるものとする（一例であるものとする）。
【００２１】
ツェナーダイオード１１は、いわゆる定電圧ダイオードであり、一定の電圧を得る目的で用いられている。
【００２２】
抵抗１２は、電圧低減用の部品として用いられるチップ型の抵抗（電気抵抗）であって、本実施例においては、二つ備えられている。
【００２３】
バスバー１０は、導電性を有する金属板を所定形状に曲げて形成され光源と電線とを導通接続する回路部品である。バスバー１０には、一端側にＬＥＤ９及びツェナーダイオード１１が接続されている。また、バスバー１０の他端側には、電線８を圧接して接続する圧接端子１４が設けられている。さらに、バスバー１０の一端側から他端側までの途中には抵抗１２が接続されている。
【００２４】
ケース１３は、合成樹脂材料から成形され、略箱体の形状に形成されている（形状は一例であるものとする）。ケースは、ＬＥＤ９と、ツェナーダイオード１１と、抵抗１２とが接続されたバスバー１０を収容するため、上面が開口されており、バスバー１０がケース１３に収容されることにより、機能部５が構成されている。
【００２５】
次に、図３を参照しつつ、ハウジング６の構成及び構造について説明する。
ハウジング６は、合成樹脂材料から成形され、略箱体の形状に形成されている（形状は一例であるものとする）。ハウジング６は、天井面６ａと、左側面６ｂと、右側面６ｃと、背面６ｄと、底面６ｅとを有している。また、ハウジング６の長手方向の一端側における面（背面６ｄと対向する面）は切り欠かれている（図３（ａ）参照）。この切り欠かれた部分は、ハウジング６の内側に機能部５を挿入するための機能部挿入孔１６として形成されている。また、ハウジング６の内側は機能部５を収容するための機能部収容室１７として形成されている。
尚、左側面６ｂ及び右側面６ｃには、機能部挿入孔１６の付近において矩形に切り欠かれた孔が形成されており、電線ホルダ７の両側面に設けられた電線ホルダ係合部７ａとの係合を行うための電線ホルダ係止部１８として設けられている。
【００２６】
ハウジング６には、ＬＥＤ９から照射される照射光を通過させるための開口筒部１５が形成されている。また、開口筒部１５は、レンズ２５及び導光体２８をハウジング６に対して装着する部分としても設けられている。開口筒部１５は、天井面６ａからハウジング６の長手方向に対して垂直に中空円筒状に形成されている。開口筒部１５は、天井面６ａと連続しない一端１９において円形に開口され開口部２０が形成されている。また、開口筒部１５の内側は、ハウジング６の機能部収容室１７と連続して形成されている。
【００２７】
図３（ｂ）に示す如く、開口筒部１５の側面には、レンズ２５を開口筒部１５の内側に挿入するためのレンズ挿入孔（挿入孔）２１が形成されている。レンズ挿入孔２１は、開口筒部１５の軸方向に対して直交して形成され、開口筒部１５の内側まで貫通されている。また、レンズ挿入孔２１の両端は、開口筒部１５の内側において後述する環状ガイド溝２２に連通している。
【００２８】
環状ガイド溝２２は、レンズ挿入孔２１から挿入されたレンズ２５を開口筒部１５の内側において往復動自在に案内し、所定の位置において開口筒部１５の中心軸と交差して配置させるために設けられている。環状ガイド溝２２は、レンズ挿入孔２１の両端と連通しており、開口筒部１５の内側の壁に凹状の溝を形成することにより設けられている。
尚、レンズ挿入孔２１の反対側の側面には、レンズ挿入孔２１のような孔は形成されておらず、閉塞している。従って、レンズ２５がレンズ挿入孔２１から挿入され環状ガイド溝２２によって開口筒部１５の内側に案内された後、開口筒部１５を通り抜けることはない。
【００２９】
開口筒部１５にはレンズ挿入孔２１の中間部付近における開口部２０の周縁にレンズ２５を係止するためのレンズ係止部２３が設けられている。レンズ係止部２１は、凹状に形成されており、開口筒部１５の一端１９側から開口筒部１５の内側にかけて、開口筒部１５の軸方向に沿って伸びている。
【００３０】
更に、ハウジング６の左側面６ｂ側及び右側面６ｃ側における開口部２０の周縁には、導光体２９の一端に設けられる係合部３１が挿通可能に形成された挿通溝２４が向かい合って設けられている。挿通溝２４の幅は、係合部３１の幅よりも大きく設定されている。挿通溝２４は、凹状に形成され、開口筒部１５の一端１９側から開口筒部１５の内側にかけて、開口筒部１５の軸方向に沿って伸びており環状ガイド溝２２に連通している。従って、係合部３１は、挿通溝２４を挿通すると環状ガイド溝２２に入る構成となっている。
【００３１】
係合部３１が挿通溝２４に挿通された後、環状ガイド溝２２に入ると、導光体２９を回転させることにより、係合部３１を環状ガイド溝２２において開口筒部１５の軸方向に対して水平に回転させることができる。これにより、係合部３１を環状ガイド溝２２において所定の範囲まで（具体的には係合部３１の真上に挿通溝２４が配置されない位置まで）回転させ、係合部３１を環状ガイド溝２２に係合することにより導光体２９を開口筒部１５に装着させることができる。
上記の如く、開口筒部１５に設けられたレンズ挿入孔２１、環状ガイド溝２２、レンズ係止部２３及び挿通溝２４により、レンズ２５及び導光体２９を開口筒部１５に装着させるための係止構造が構成されている。
【００３２】
次に、図４を参照しつつ、レンズ２５について説明する。
レンズ２５は、ガラス、アクリル樹脂、ポリカーボネート樹脂等から成形されている。レンズ２５は、照射光を集光又は拡散させたり、照射光の色彩を別の色彩に変換する等、照射光を調整するためのものである。
【００３３】
図４（ａ）に示すレンズ２５は、照射光を集光させるためのいわゆる集光レンズ２５ａである。照射光を集光させるにはレンズ２５の表面に断面円弧状の凸部２６を形成することにより可能となる。また、図４（ｂ）に示すレンズ２５は、照射光を拡散させるためのいわゆる拡散レンズ２５ｂである。照射光を拡散させるにはレンズ２５の表面に微細な凹凸（図示せず）を形成する等の表面処理を施すことにより可能となる。尚、照射光の色彩を別の色彩に変換するには、レンズ２５の材料に各種色素や蛍光体を添加することにより可能となる。本実施例において、上記開口筒部１５にレンズ２５を装着する場合、ＬＥＤユニット２の用途に応じて上記レンズ２５の何れを用いてもよいものとする。
【００３４】
レンズ２５は、基本的に円形状であるが外形部の対向する一部が直線状に形成され、この対向する直線状部分２７の幅は、レンズ挿入孔の幅以下に設定されている。また、レンズ２５の一端には、レンズ係止部２３に係合する凸状のレンズ係合部２８が形成されている。
【００３５】
次に、図５を参照しつつ、導光体２９について説明する。
導光体２９は、ＬＥＤ９から発せられた照射光を所定の位置まで導光するための部材である。導光体２９は、アクリル等の透明な合成樹脂材料から成形されている。導光体２９の一端には、導光体２９を開口筒部１５に装着するための接続部３０が設けられている。接続部３０は円盤状に形成されており、直径は、開口筒部１５の開口部２０の直径以下に設定されている。また、接続部３０の側面には、環状ガイド溝２２に係合させるための係合部３１が凸状に設定されている。本実施例において、係合部３１は、接続部３０の側面の一端及び他端に設けられている（一例であるものとする）。さらに、接続部３１の底面からは、照射光を導光体２９の内部に導入するための光導入部３２が突出して形成されている。光導入部３２は、導光体２９が開口筒部１５に装着された際、ＬＥＤ９に近接するように形成されてもよいものとする。このような構成により、ＬＥＤ９から照射された照射光が光導入部３２に導入するまでの距離が短縮され、導光のロスを減らすことができる。
【００３６】
導光体２９の先端３３（すなわち導光体２９の上記一端に対する他端）にはレンズ３４が設けられている。そして、光導入部３２から導入された光が導光体２９の内部と外部との界面で反射を繰り返し、導光体２９の先端３３に到達し上記レンズ３４を発光させる。
尚、本実施例において、導光体２９は、細長い棒状であって途中で二つに分岐して形成されており、先端３３を二つ有しているが、係る構成、形状に限定されるものではない。
【００３７】
次に、図６及び図７を参照しつつ、レンズ２５の開口筒部１５への装着方法について説明する。
先ず、図６（ａ）に示す如く、開口筒部１５に設けたレンズ挿入孔２１に向けてレンズ２５（本実施例においては、集光レンズ２５ａを用いるものとするが、これに限定されるものではなく、その他、例えば、拡散レンズ２５ｂや、レンズ材料に各種色素や蛍光体を添加する照射光の色彩を別の色彩に変換することができるレンズを用いてもよいものとする）を位置決めし、図示する矢印Ａの方向にレンズ２５を差し込む。そして、図６（ｂ）に示す如く、図示する矢印Ｂの方向にレンズ２５をスライドさせることによりレンズ挿入孔２１に挿入する。
レンズ２５をそのまま差し込み続けると、環状ガイド溝２２に案内されて開口筒部１５の内側へと挿入される。そして、レンズ係合部２８がレンズ係止部２３に係合され、レンズ２５の先端がレンズ挿入孔２１の対向位置にある壁面に当接し、それ以上、レンズ２５を挿入できなくなる（図７（ｂ）参照）。これにより、図７に示す如く、レンズ２５の開口筒部１５への装着が完了する。
【００３８】
次に、図８及び図９を参照しつつ、導光体２９の開口筒部１５への装着方法につて説明する。
先ず、開口筒部１５の開口部２０に向けて導光体２９を位置決めする。ここで、図８（ａ）における導光体２９の向きでは、係合部３１を挿通溝２４に挿通することはできないので、図示する矢印Ａの如く、導光体２９を９０°回転させ、係合部３１を挿通溝２４に挿通できるように位置決めする。次に、導光体２９を図示する矢印Ｂの方向に向かって開口部２０に差し込む。そうすると、係合部３１が挿通溝２４を挿通し環状ガイド溝２２に入る。これと同時に接続部３０が開口部２０から開口筒部１５の内側に挿入され、図８（ｂ）の状態になる。
そして、導光体２９を図８（ｂ）に示す矢印Ｃの方向に９０°回転させると、係合部３１も環状ガイド溝２２にて矢印Ｃの方向に９０°回転し、係合部３１の真上に挿通溝２４が配置されない位置まで移動する。これにより、図９（ａ）に示す如く、係合部を環状ガイド溝に係合することができる。以上により、導光体２９の開口筒部１５への装着が完了する。
【００３９】
尚、上記方法により、導光体２９を開口筒部１５に装着したＬＥＤユニット２によれば、図９（ｂ）に示す如く、接続部３１の底面から光導入部３２が突出しているため、光導入部３２とＬＥＤ９とが近接して配置されることとなる。このような構成により、ＬＥＤ９から照射された照射光が光導入部３２に導入するまでの距離が短縮され、導光のロスを減らすことができる。
【００４０】
次に、図１０を参照しつつ、ＬＥＤユニット２の組み立て方法について説明する。
先ず、レンズ２５及び導光体２９の何れかを開口筒部１５に装着した状態でハウジング６の機能部挿入孔１６に機能部５を挿入する。機能部５を挿入する際、ＬＥＤ９が接続されている側から挿入する。そうすると、機能部５が機能部収容室１７に収容されたときＬＥＤ９の真上に開口筒部１５とレンズ２５又は導光体２９が配置されることとなる。すなわち、ＬＥＤ９から垂直に発せられる照射光に交差してレンズ２５又は導光体２９が配置されるので、照射光は、開口筒部１５とレンズ２５又は導光体２９を通過することとなる。また、上記挿入方法によると、機能部５におけるバスバー１０の圧接端子１４が機能部収容室１７内の機能部挿入孔１６付近に配置されることとなる。
【００４１】
そして、電線８を電線ホルダ７に固定した後、この電線ホルダ７を機能部挿入孔１６に挿入すると、電線ホルダ係合部７ａが電線ホルダ係止部１８に係合される。また、電線ホルダ７の挿入及び係合と同期して、電線８が圧接端子１４に圧接され機能部５と電線８とが導通接続される。以上により、ＬＥＤユニット２の組み立てが完了する。
【００４２】
次に、図１１及び図１２を参照しつつ、本実施例に係るＬＥＤユニット２の使用方法について説明する。
レンズ２５を開口筒部１５に装着したＬＥＤユニット２は、例えば、車両室内照明灯３５として用いられる。図１１に示す如く、車両室内照明灯３５は、ＬＥＤユニット２と、ＬＥＤユニット２に組み付けられるカバー３６と、レンズ部３８を有する意匠部３７とを備え、意匠部３７は、車両室内の内装材３９の開口４０を潜り抜け可能な形状に形成されている。また、意匠部３７の上面の一端にはカバー係合部４１が設けられ、他端には係止爪部４２が設けられている。
車両室内照明灯３５の組み立ては、ＬＥＤユニット２にカバー３６を組み付けた後、カバー係合部４１をカバー３６の側壁に設けられたカバー係止部４３に係合して行われる。
【００４３】
車両室内照明灯３５の内装材３９への組み付けは、先ず、車両室内側（図１１（ａ）においては内装材３９の下部）から車両室内照明灯３５をＬＥＤユニット２側を先にして開口４０に差し込み、係止爪部４２を開口４０の周縁に摺接させることにより行う。係止爪部４２は、可撓性を備え、意匠部３７の長手方向において前後に撓み変形が可能に形成されている。係止爪部４２を開口４０の周縁に摺接させると係止爪部４２が撓み変形を生じ、一旦、後方に撓み変形した後、開口４０を潜り抜けると元の形状に復帰し、開口４０の周縁に係止させることができる。以上により、図１１（ｂ）に示す如く、車両室内照明灯３５の内装材３９への組み付けが完了する、
【００４４】
尚、開口筒部１５に装着するレンズ２５として、集光レンズ２５ａを採用する場合、係るＬＥＤユニット２は、例えば、自動車等の車両室内におけるマップランプ、リアリーディングランプ等に用いられる（一例であるものとする）。また、拡散レンズ２５ｂを採用する場合、係るＬＥＤユニット２は、例えば、車両室内における足下照明灯、バニティランプ、ドームランプ、カーテシランプ、デッキランプ等に用いられる（一例であるものとする）。
【００４５】
導光体２９を開口筒部１５に装着したＬＥＤユニット２は、例えば、車両室内におけるスイッチ表示４４の発光や室内加飾のための装置として用いられる（一例であるものとする）。本実施例の如く、途中で分岐して形成され先端３３を複数有している導光体２９を用いることにより、一のＬＥＤユニット２を用いるのみで複数のスイッチ表示４４を発光させることができる（図１２参照）。これにより、例えば、スイッチ表示４４が複数ある場合、スイッチ表示４４毎にＬＥＤユニット２を配置する必要がなくなる。また、導光体２９により照射光を確実に伝達できるため、ＬＥＤユニット２を直接配置できない位置まで導光したい場合でも、遠隔した場所から目的の位置まで導光させることができる。
【００４６】
本発明は、上記記述及び図面によって説明した第１の実施例に限定されるものではなく、例えば下記のＬＥＤユニットの変形例１を用いてもよいものとする。
変形例１に係るＬＥＤユニット２は、開口筒部１５の内部において、レンズ２５をレンズ挿入孔２１から差し込み、環状ガイド溝２２に案内されて開口筒部１５の内側に挿入するとともにレンズ係止部２３にレンズ係合部２８を係合し、さらに、導光体２９の係合部３１を挿通溝２４に挿通し、導光体を所定範囲にて回転させることにより、係合部３１を上記環状ガイド溝２２にて係合部３１の真上に挿通溝２４が配置されない位置まで回転させ、導光体２９を環状ガイド溝２２に係合させる。
【００４７】
上記構成及び構造によれば、一の係止構造によって、レンズ２５及び導光体２９の何れか一方のみを開口筒部１５に装着させるだけでなく、レンズ２５及び導光体２９の両方が同時に開口筒部１５に装着させることができる。
【００４８】
また、上記変形例１以外にも、例えば、図１３に図示する本発明に係るＬＥＤユニットの変形例２を用いてもよいものとする。
変形例２に係るＬＥＤユニット５０は、照射光を調整するキャップ５１が導光体２９の先端３３に装着されている。キャップ５１の材料に、例えば、各種色素や蛍光体を添加することにより照射光を任意の色彩に調整することができる。また、先端３３が複数に分岐して形成される導光体２９の場合、各先端３３にそれぞれ異なる種類のキャップ５１を装着することにより、別々の照射光が照射されることとなる。
【００４９】
本発明によれば、開口筒部１５には、レンズ２５が挿入されるレンズ挿入孔２１と、開口筒部１５の内側にてレンズ挿入孔２１の両端に連通して形成されレンズ２５を往復動自在に案内し開口筒部１５の軸に交差して配置させる環状ガイド溝２２とを設ける係止構造を備えている。この係止構造は、更に開口筒部１５の一端１９側から開口筒部１５の内側にかけて開口筒部１５の軸に沿って伸び環状ガイド溝２２に連通する挿通溝２４を設けている。また、挿通溝２４は、導光体２９の一端に設けられる係合部３１が挿通可能な大きさに形成されている。さらに、環状ガイド溝２２は、係合部３１を挿通溝２４に挿通させると係合部３１が回転することができる。
これにより、レンズ２５は、レンズ挿入孔２１から挿入されると環状ガイド溝２２によって所定位置まで案内されて開口筒部１５の軸に交差して配置される。また、開口筒部１５の一端１９側から開口筒部１５の内側にかけて開口筒部１１５の軸に沿って伸び環状ガイド溝２２に連通する挿通溝２４を設けられており、この挿通溝２４は、導光体２９の一端に設けられる係合部３１が挿通可能な大きさに形成されている。そして、係合部３１を挿通溝２４に挿通させると係合部３１は環状ガイド溝２２にて回転することができ、所定範囲に回転することで係合部３１は環状ガイド溝２２に係合される。
【００５０】
また、本発明によれば、照射光を調整するキャップ５１を導光体２９の先端３３に装着することにより照射光を任意の色彩を帯びた光に調整できる。
また、先端３３が複数に分岐して形成される導光体２９を用いる場合、各先端３３にそれぞれ異なる種類のキャップを装着することにより各先端３３が別々の照射光を照射することができる。
【００５１】
以上、図１乃至図１３を参照しながら説明してきたように、このように構成される本発明によれば、以下の効果を奏する。
すなわち、レンズ２５は、環状ガイド溝２２によって所定位置まで案内されて開口筒部１５の軸に交差して配置される。また、導光体２９は、係合部３１を挿通溝２４に挿通させると、この係合部３１は環状ガイド溝２２にて開口筒部１５の軸に水平に回転することができ、所定範囲に回転することで係合部３１は環状ガイド溝２２に係合される。これにより、レンズ２５及び導光体２９は、一の係止構造にて何れか一方のみを装着することができる、また、これらの両方を装着することもできる。そうすると、レンズ２５を装着するための専用のＬＥＤユニット２や、導光体を装着するための専用のＬＥＤユニット２をそれぞれ用途に合わせて製造する必要がなくなる。
従って、レンズ２５及び導光体２９の装着を一の係止構造のみを用いて行うことにより、一のＬＥＤユニット２のみで様々な用途に対応することができ、ＬＥＤユニット２の製造に係るコストを削減することができる。
【００５２】
また、本発明によれば、上記効果の他、下記の効果も奏する。
すなわち、照射光を調整するキャップ５１を導光体２９の先端３３に装着することにより照射光を任意の色彩を帯びた光に調整でき、また、先端３３が複数に分岐して形成される導光体２９を用いる場合、各先端３３にそれぞれ異なる種類のキャップ５１を装着することにより各先端３３が別々の照射光を照射することができる。
従って、一の係止構造のみを用いることにより照射光の色彩にバリエーションをもたせることができる。
【００５３】
この他、本発明は本発明の主旨を変えない範囲で種々変更実施可能なことは勿論である。
【符号の説明】
【００５４】
１…車両室内、  ２，５０…ＬＥＤユニット、  ３，４，３５…車両室内照明灯、  ５…機能部、  ６…ハウジング、  ６ａ…天井面、  ６ｂ…左側面、  ６ｃ…右側面、  ６ｄ…背面  ６ｅ…底面、  ７…電線ホルダ、  ８…電線、  ９…ＬＥＤ、  １０…バスバー、  １１…ツェナーダイオード、  １２…抵抗、  １３…ケース、  １４…圧接端子、  １５…開口筒部、  １６…機能部挿入孔、  １７…機能部収容室、  １８…電線ホルダ係止部、  １９…一端、  ２０…開口部、  ２１…レンズ挿入孔（挿入孔）、  ２２…環状ガイド溝、  ２３…レンズ係止部、  ２４…挿通溝、  ２５…レンズ、  ２５ａ…集光レンズ、  ２５ｂ…拡散レンズ、  ２６…凸部、  ２７…直線状部分、  ２８…レンズ係合部、  ２９…導光体、  ３０…接続部、  ３１…係合部、  ３２…光導入部、  ３３…先端、  ３４…レンズ、  ３６…カバー、  ３７…意匠部、  ３８…レンズ部、  ３９…内装材、  ４０…開口、  ４１…カバー係合部、  ４２…係止爪部、  ４３…カバー係止部、  ４４…スイッチ表示、  ５１…キャップ
【図１】
2013180715.tif 000003
【図２】
2013180715.tif 000004
【図３】
2013180715.tif 000005
【図４】
2013180715.tif 000006
【図５】
2013180715.tif 000007
【図６】
2013180715.tif 000008
【図７】
2013180715.tif 000009
【図８】
2013180715.tif 000010
【図９】
2013180715.tif 000011
【図１０】
2013180715.tif 000012
【図１１】
2013180715.tif 000013
【図１２】
2013180715.tif 000014
【図１３】
2013180715.tif 000015